(57)【要約】【課題】第一の洗濯槽と第二の洗濯槽の運転を操作するための操作パネルの操作性を向上させた衣類処理装置を提供すること。【解決手段】衣類処理装置１００の上部に配備された第一の洗濯槽１１２を運転するための第一の操作パネル１２０と、衣類処理装置１００の下部に配備された第二の洗濯槽１５２を運転するための第二の操作パネル１６０は、いずれも衣類処理装置１００の上部の１箇所に配置したことにより、繊維素材や色彩毎にそれぞれ衣類を分別し洗濯を行う際に、第一の洗濯槽１１２の運転操作と、第二の洗濯槽１５２の運転操作を、より近い範囲で運転操作することができることから、操作性を向上させることができる。【選択図】図１
2017121392.tif 000002
【特許請求の範囲】
【請求項１】
第一の洗濯槽と第二の洗濯槽を配備している衣類処理装置において、前記第一の洗濯槽の運転を操作する第一の操作パネルと前記第二の洗濯槽の運転を操作する第二の操作パネルを有し、それらを製品の１箇所に配置した衣類処理装置。
【請求項２】
前記第一の操作パネルと前記第二の操作パネルを区分して配置した請求項１記載の衣類処理装置。
【請求項３】
前記第一の洗濯槽と前記第二の洗濯槽の配置に合わせて、前記第一の操作パネルと前記第二の操作パネルをそれぞれ配置する請求項１または２記載の衣類処理装置。
【発明の詳細な説明】
【技術分野】
【０００１】
本発明は、衣類を洗濯、脱水及び／又は乾燥するための衣類処理装置に関する。
【背景技術】
【０００２】
第一の洗濯槽と第二の洗濯槽を配備している衣類処理装置が開発されている（例えば、特許文献１参照）。特許文献１には、第一の洗濯槽と第二の洗濯槽を配備しているドラム式洗濯機の一例が記載されている。
【先行技術文献】
【特許文献】
【０００３】
【特許文献１】中国実用新案第２０３７４１５９７号明細書
【発明の概要】
【発明が解決しようとする課題】
【０００４】
昨今では多種多様な繊維素材を用いた衣類や色彩鮮やかな模様の施された衣類などが市場に多く提供されているが、それら衣類などを洗濯する場合には、繊維素材や色彩毎にそれぞれ分別し洗濯を行うために、洗濯に長時間を要するという課題があった。この課題を解決するため、第一の洗濯槽と第二の洗濯槽を備えた衣類処理装置が提供されることが求められてきたが、さらに、第一の洗濯槽と第二の洗濯槽の運転を操作するための操作パネルの操作性向上が求められている。
【０００５】
本発明は、第一の洗濯槽と第二の洗濯槽の運転を操作するための操作パネルの操作性を向上させた衣類処理装置を提供することを目的とする。
【課題を解決するための手段】
【０００６】
前記従来の課題を解決するために本発明の衣類処理装置は、第一の洗濯槽と第二の洗濯槽を配備している衣類処理装置において、前記第一の洗濯槽の運転を操作する第一の操作パネルと前記第二の洗濯槽の運転を操作する第二の操作パネルを有し、それらを製品の１箇所に配置したことにより、第一の洗濯槽の運転操作と、第二の洗濯槽の運転操作を、より近い範囲で操作することができることから、操作性を向上させることができる。
【発明の効果】
【０００７】
本発明に係る衣類処理装置は、第一の洗濯槽と第二の洗濯槽を配備している衣類処理装置において、第一の洗濯槽と第二の洗濯槽を操作するための操作パネルの操作性を向上させた衣類処理装置を実現することができる。
【図面の簡単な説明】
【０００８】
【図１】本発明の実施の形態１における衣類処理装置の外観斜視図
【図２】同衣類処理装置の正面図
【図３】本発明の実施の形態２における衣類処理装置の正面図
【図４】本発明の実施の形態３における衣類処理装置の正面図
【発明を実施するための形態】
【０００９】
第１の発明は、第一の洗濯槽と第二の洗濯槽を配備している衣類処理装置において、前記第一の洗濯槽の運転を操作する第一の操作パネルと前記第二の洗濯槽の運転を操作する第二の操作パネルを有し、それらを製品の１箇所に配置したことにより、第一の洗濯槽の運転操作と、第二の洗濯槽の運転操作を、より近い範囲で操作することができることから
、洗濯コースや洗濯条件の設定入力や表示確認等の操作性を向上させることができる。特に、第一の洗濯槽と第二の洗濯槽を異なる洗濯コースや洗濯条件で同時に運転して洗濯を行う際の操作性を向上させることができる。
【００１０】
第２の発明は、上記第１の発明において、前記第一の操作パネルと前記第二の操作パネルを区分して配置したことにより、第一の洗濯槽の運転操作と、第二の洗濯槽の運転操作を、より近い範囲で操作することができ、且ついずれの洗濯槽の操作を行うのかを容易に認識することができるので、誤入力を防止でき、操作性を向上させることができる。
【００１１】
第３の発明は、上記第１または第２の発明において、前記第一の洗濯槽と前記第二の洗濯槽の配置に合わせて、前記第一の操作パネルと前記第二の操作パネルをそれぞれ配置することにより、いずれの洗濯槽の操作を行うのかを容易に認識することができるので、誤入力を防止でき、操作性を向上させることができる。
【００１２】
以下、本発明の実施の形態について、図面を参照しながら説明する。なお、この実施の形態によって本発明が限定されるものではない。
【００１３】
（実施の形態１）
図１は、本発明の実施の形態１における衣類処理装置の外観斜視図、特に表示操作部を詳しく描いた図であり、図２は同衣類処理装置の正面図を示すものである。
【００１４】
図１に示すように、衣類処理装置１００の本体筐体１１０の上部には回転自在な第一の回転ドラム１１１が内部に配設された揺動自在な第一の洗濯槽１１２が配備され、第一の回転ドラム１１１は第一の洗濯槽１１２の背面に外側より取り付けられた第一のモータ（図示せず）により回転駆動され、本体筐体１１０の下部には回転自在な第二の回転ドラム１５１が内部に配設された揺動自在な第二の洗濯槽１５２が配備され、第二の回転ドラム１５１は第二の洗濯槽１５２の背面に外側より取り付けられた第二のモータ（図示せず）により回転駆動され、少なくとも洗い行程、すすぎ行程、脱水行程、乾燥行程を行う機能を有したドラム式洗濯乾燥機を構成している。しかし、乾燥行程を行うための乾燥系は省略することができる。
【００１５】
衣類処理装置１００の上部に配備された第一の洗濯槽１１２を運転するための第一の操作パネル１２０は、本体筐体１１０の前面最上部に配設されており、その第一の表示操作部筐体１２１には、運転コースや運転条件等の第一の洗濯槽１１２を運転操作するための設定入力を行う第一の操作ボタン１２２と、第一の洗濯槽１１２の運転状態や操作の確認を行うための第一の表示デバイス１２３とが備えられている。
【００１６】
衣類処理装置１００の下部に配備された第二の洗濯槽１５２を運転するための第二の操作パネル１６０は、本体筐体１１０の前面で第一の操作パネル１２０のすぐ下方に配設されており、その第二の表示操作部筐体１６１には、運転コースや運転条件等の第二の洗濯槽１５２を運転操作するための設定入力を行う第二の操作ボタン１６２と、第二の洗濯槽１５２の運転状態や操作の確認を行うための第二の表示デバイス１６３とが備えられている。
【００１７】
図２に示すように、衣類処理装置１００の上部に配備された第一の洗濯槽１１２を運転するための第一の操作パネル１２０と、衣類処理装置１００の下部に配備された第二の洗濯槽１５２を運転するための第二の操作パネル１６０は、いずれも使用者の操作しやすい衣類処理装置１００の上部の１箇所に配置されている。これにより、操作性を向上させることができる。特に、繊維素材や色彩毎にそれぞれ衣類を分別して第一の洗濯槽１１２と第二の洗濯槽１５２に分けて投入し、両洗濯槽を同時に運転して洗濯を行う際に、第一の
洗濯槽１１２の運転操作と、第二の洗濯槽１５２の運転操作を、より近い範囲で運転操作することができることから、この操作性の向上効果はより大なるものがある。
【００１８】
（実施の形態２）
図３は、本発明の実施の形態２における衣類処理装置の正面図を示すものである。
【００１９】
図３に示すように、実施の形態２では、衣類処理装置１００の上部に配備された一つの表示操作部筐体２２１には、第一の洗濯槽１１２を運転するための第一の操作パネル２２０と、第二の洗濯槽１５２を運転するための第二の操作パネル２６０とが区分して共に配置されている。これにより、第一の洗濯槽１１２の運転操作と、第二の洗濯槽１５２の運転操作を、より近い範囲で操作することができ、且ついずれの洗濯槽の操作を行うのかを容易に認識することができるので、誤入力を防止でき、操作性を向上することができる。特に、両洗濯槽を各々異なる洗濯コースもしくは動作シーケンスで双方同時に運転（洗い、すすぎ、脱水及び／又は乾燥）する際に、この操作性の向上効果は大きく、非常に使い勝手を良くすることができる。
【００２０】
（実施の形態３）
図４は、本発明の実施の形態３における衣類処理装置の正面図を示すものである。
【００２１】
図４に示すように、実施の形態３では、衣類処理装置１００の上部に配備された第一の洗濯槽１１２を運転するための第一の操作パネル３２０と、衣類処理装置１００の下部に配備された第二の洗濯槽１５２を運転するための第二の操作パネル３６０は、第一の操作パネル３２０は第一の洗濯槽１１２と配置を合わせてあり、すなわち第一の操作パネル３２０は衣類処理装置１００の上部で第一の洗濯槽１１２のすぐ上方に配置されており、第二の操作パネル３６０は第二の洗濯槽１５２と配置を合わせてあり、すなわち第二の操作パネル３６０は第二の洗濯槽１５２のすぐ上方ではあるが、衣類処理装置１００の全高のおよそ半分より下に配置されている。これにより、第一の洗濯槽１１２の運転操作と、第二の洗濯槽１５２の運転操作を、いずれの洗濯槽の操作を行うのかを容易に認識することができるので、誤入力を防止でき、操作性を向上することができる。特に、両洗濯槽を各々異なる洗濯コースもしくは動作シーケンスで双方同時に運転（洗い、すすぎ、脱水及び／又は乾燥）する際に、この誤入力防止効果を大きくすることができる。
【産業上の利用可能性】
【００２２】
以上のように、本発明にかかる衣類処理装置は、第一の洗濯槽と第二の洗濯槽を操作するための操作パネルの操作性を向上させた衣類処理装置を提供することが可能になるので、第一の洗濯槽と第二の洗濯槽を備えた衣類処理装置等として有用である。
【符号の説明】
【００２３】
１００  衣類処理装置
１１０  本体筐体
１１１  第一の回転ドラム
１１２  第一の洗濯槽
１２０  第一の操作パネル
１２１  第一の表示操作部筐体
１２２  第一の操作ボタン
１２３  第一の表示デバイス
１５１  第二の回転ドラム
１５２  第二の洗濯槽
１６０  第二の操作パネル
１６１  第二の表示操作部筐体
１６２  第二の操作ボタン
１６３  第二の表示デバイス
２２０  第一の操作パネル
２２１  表示操作部筐体
２６０  第二の操作パネル
３２０  第一の操作パネル
３６０  第二の操作パネル
【図１】
2017121392.tif 000003
【図２】
2017121392.tif 000004
【図３】
2017121392.tif 000005
【図４】
2017121392.tif 000006